【手続補正書】
【提出日】平成28年7月8日(2016.7.8)
【手続補正１】
【補正対象書類名】特許請求の範囲
【補正対象項目名】全文
【補正方法】変更
【補正の内容】
【特許請求の範囲】
【請求項１】
流体導管用の機械的に付着された接続部であって、前記機械的に付着された接続部は、
ネジ付き本体およびネジ付きナットであって、前記ネジ付きナットは、前記ネジ付き本体とかみ合わせられることができ、前記ネジ付き本体および前記ネジ付きナットは、流体導管上に前記機械的に付着された接続部を引き寄せるために、一緒に軸方向に接合可能であり、前記ネジ付き本体は、ネジ付き部分と、端部分と、前記ネジ付き部分と前記端部分の段部との間の首部分とを備える、ネジ付き本体およびネジ付きナットと、
前部フェルールおよび後部フェルールと、
前記ネジ付き本体の前記首部分に付着されているセンサと
を備える、機械的に付着された接続部。
【請求項２】
前記センサは、湿潤センサを備える、請求項１に記載の機械的に付着された接続部。
【請求項３】
前記センサは、前記機械的に付着された接続部と関連付けられた回路に無線通信することができる、請求項２に記載の機械的に付着された接続部。
【請求項４】
前記センサは、非湿潤センサを備える、請求項１に記載の機械的に付着された接続部。
【請求項５】
前記センサは、前記機械的に付着された接続部と関連付けられた回路に無線通信することができる、請求項４に記載の機械的に付着された接続部。
【請求項６】
前記センサは、前記機械的に付着された接続部から遠隔である回路と無線通信することができる、請求項１に記載の機械的に付着された接続部。
【請求項７】
前記センサは、ひずみセンサを備える、請求項１に記載の機械的に付着された接続部。
【請求項８】
前記センサは、近接センサを備える、請求項１に記載の機械的に付着された接続部。
【請求項９】
前記センサは、前記機械的に付着された接続部から遠隔である回路に無線または有線通信することができる、湿潤または非湿潤センサを備える、請求項１に記載の機械的に付着された接続部。
【請求項１０】
前記センサは、ＲＦＩＤタグ、ひずみセンサ、近接センサ、圧電センサ、超音波センサ、圧力センサ、温度センサ、光学センサ、容量センサ、誘導センサ、抵抗センサ、音響センサから選択される、請求項１に記載の機械的に付着された接続部。
【請求項１１】
前記センサは、前記機械的に付着された接続部における前記導管の底打ち、前記ネジ付き本体に対する前記ネジ付きナットの位置、または両方、のうちの少なくとも１つの状態または特性を検出する、請求項１に記載の機械的に付着された接続部。
【請求項１２】
前記センサは、前記検出された状態または特性に関連して変化する検出可能な電気性質を有する、請求項１１に記載の機械的に付着された接続部。
【請求項１３】
前記センサは、前記機械的に付着された接続部における前記導管の底打ちを検出するためのひずみセンサを備える、請求項１に記載の機械的に付着された接続部。
【請求項１４】
前記センサは、前記ネジ付き本体に対する前記ネジ付きナットの位置を検出するための近接センサを備える、請求項１に記載の機械的に付着された接続部。
【請求項１５】
前記ネジ付き本体の前記首部分に付着されている第２のセンサを備え、前記第２のセンサは、前記機械的に付着された接続部における前記導管の底打ちを検出するためのひずみセンサを備え、前記最初に記述されたセンサは、前記ネジ付き本体に対する前記ネジ付きナットの位置を検出するための近接センサを備える、請求項１に記載の機械的に付着された接続部。
【請求項１６】
前記ネジ付き本体の前記首部分に付着されている第２のセンサを備え、前記第２のセンサは、前記機械的に付着された接続部における前記導管の底打ちに関連して変化する検出可能な電気性質を有し、前記最初に記述されたセンサは、前記ネジ付き本体に対する前記ネジ付きナットの位置に関連して変化する検出可能な電気性質を有する、請求項１に記載の機械的に付着された接続部。
【請求項１７】
前記センサは、前記機械的に付着された接続部の引き寄せを検出するためのひずみセンサを備える、請求項１に記載の機械的に付着された接続部。
【請求項１８】
前記ネジ付き本体の前記首部分に付着されている第２のセンサを備え、前記第２のセンサは、前記機械的に付着された接続部における前記導管の底打ちを検出するためのひずみセンサを備え、前記最初に記述されたセンサは、前記機械的に付着された接続部の引き寄せを検出するためのひずみセンサを備える、請求項１に記載の機械的に付着された接続部。
【請求項１９】
前記センサは、前記機械的に付着された接続部か、前記ナット、前記本体、前記前部フェルール、前記後部フェルールのうちの１つ以上か、前記機械的に付着された接続部によって封じ込められる流体か、またはそれらの組み合わせか、のうちの少なくとも１つの状態または特性の視覚兆候を備える、請求項１に記載の機械的に付着された接続部。
【請求項２０】
前記センサは、前記機械的に付着された接続部の引き寄せ、前記機械的に付着された接続部における前記導管の底打ち、のうちの少なくとも１つまたは両方の視覚兆候を備える、請求項１に記載の機械的に付着された接続部。
【請求項２１】
流体導管用の導管取付用具であって、前記導管取付用具は、
ネジ付き本体およびネジ付きナットであって、前記ネジ付きナットは、前記ネジ付き本体とかみ合わせられることができ、前記ネジ付き本体および前記ネジ付きナットは、流体導管上に前記導管取付用具を引き寄せるために、一緒に軸方向に接合可能であり、前記ネジ付き本体は、ネジ付き部分と、端部分と、前記ネジ付き部分と前記端部分の段部との間の首部分とを備える、ネジ付き本体およびネジ付きナットと、
少なくとも１つの導管把持デバイスと、
前記ネジ付き本体の前記首部分に付着されているセンサと
を備える、導管取付用具。
【請求項２２】
前記センサは、湿潤センサを備える、請求項２１に記載の導管取付用具。
【請求項２３】
前記センサは、前記導管取付用具と関連付けられた回路に無線通信することができる、請求項２２に記載の導管取付用具。
【請求項２４】
前記センサは、非湿潤センサを備える、請求項２１に記載の導管取付用具。
【請求項２５】
前記センサは、前記導管取付用具と関連付けられた回路に無線通信することができる、請求項２４に記載の導管取付用具。
【請求項２６】
前記センサは、前記導管取付用具から遠隔である回路と無線通信することができる、請求項２１に記載の導管取付用具。
【請求項２７】
前記センサは、ひずみセンサを備える、請求項２１に記載の導管取付用具。
【請求項２８】
前記センサは、近接センサを備える、請求項２１に記載の導管取付用具。
【請求項２９】
前記センサは、前記導管取付用具から遠隔である回路に無線または有線通信することができる、湿潤または非湿潤センサを備える、請求項２１に記載の導管取付用具。
【請求項３０】
前記センサは、ＲＦＩＤタグ、ひずみセンサ、近接センサ、圧電センサ、超音波センサ、圧力センサ、温度センサ、光学センサ、容量センサ、誘導センサ、抵抗センサ、音響センサから選択される、請求項２１に記載の導管取付用具。
【請求項３１】
前記センサは、前記導管取付用具における前記導管の底打ち、前記ネジ付き本体に対する前記ネジ付きナットの位置、または両方、のうちの少なくとも１つの状態または特性を検出する、請求項２１に記載の導管取付用具。
【請求項３２】
前記センサは、前記検出された状態または特性に関連して変化する検出可能な電気性質を有する、請求項３１に記載の導管取付用具。
【請求項３３】
前記センサは、前記導管取付用具における前記導管の底打ちを検出するためのひずみセンサを備える、請求項２１に記載の導管取付用具。
【請求項３４】
前記センサは、前記ネジ付き本体に対する前記ネジ付きナットの位置を検出するための近接センサを備える、請求項２１に記載の導管取付用具。
【請求項３５】
第２のセンサは、前記ネジ付き本体の前記首部分に付着されており、前記第２のセンサは、前記導管取付用具における前記導管の底打ちを検出するためのひずみセンサを備え、前記最初に記述されたセンサは、前記ネジ付き本体に対する前記ネジ付きナットの位置を検出するための近接センサを備える、請求項２１に記載の導管取付用具。
【請求項３６】
第２のセンサは、前記ネジ付き本体の前記首部分に付着されており、前記第２のセンサは、前記導管取付用具における前記導管の底打ちに関連して変化する検出可能な電気性質を有し、前記最初に記述されたセンサは、前記ネジ付き本体に対する前記ネジ付きナットの位置に関連して変化する検出可能な電気性質を有する、請求項２１に記載の導管取付用具。
【請求項３７】
前記センサは、前記導管取付用具の引き寄せを検出するためのひずみセンサを備える、請求項２１に記載の導管取付用具。
【請求項３８】
第２のセンサは、前記ネジ付き本体の前記首部分に付着されており、前記第２のセンサは、前記導管取付用具における前記導管の底打ちを検出するためのひずみセンサを備え、前記最初に記述されたセンサは、前記導管取付用具の引き寄せを検出するためのひずみセンサを備える、請求項２１に記載の導管取付用具。
【請求項３９】
前記センサは、前記導管取付用具か、前記ナット、前記本体、前記少なくとも１つの導管把持デバイスのうちの１つ以上か、前記導管取付用具によって封じ込められる流体か、またはそれらの組み合わせか、のうちの少なくとも１つの状態または特性の視覚兆候を備える、請求項２１に記載の導管取付用具。
【請求項４０】
前記センサは、前記導管取付用具の引き寄せ、前記導管取付用具における前記導管の底打ち、のうちの少なくとも１つまたは両方の視覚兆候を備える、請求項２１に記載の導管取付用具。
【請求項４１】
前記機械的に付着された接続部が引き寄せられた後に、導管把持および流体密封シールを提供するように構成されている、請求項１に記載の機械的に付着された接続部。
【請求項４２】
前記導管取付用具が引き寄せられた後に、導管把持および流体密封シールを提供するように構成されている、請求項２１に記載の導管取付用具。